(57)【要約】【課題】本発明は魚釣用電動リールに係り、モータ出力調節用の操作部材の誤操作によるトラブルの防止を図った魚釣用電動リールを提供することを目的とする。【解決手段】リール本体に回転可能に支持されたスプールを駆動するスプールモータと、当該スプールモータのモータ出力を調節するモータ出力調節手段と、当該モータ出力調節手段の操作部材を備えた魚釣用電動リールに於て、上記操作部材またはリール本体に起動部材を装着し、当該起動部材と上記操作部材の協働操作で、スプールモータのモータ駆動とモータ出力調節を実行可能としたことを特徴とする。【選択図】　　　図４
2004024061.tif 000002
【特許請求の範囲】
【請求項１】
リール本体に回転可能に支持されたスプールを駆動するスプールモータと、
上記スプールモータのモータ出力を調節するモータ出力調節手段と、
上記モータ出力調節手段の操作部材を備えた魚釣用電動リールに於て、
上記操作部材またはリール本体に起動部材を装着し、
当該起動部材と上記操作部材の協働操作で、スプールモータのモータ駆動とモータ出力調節を実行可能としたことを特徴とする魚釣用電動リール。
【請求項２】
起動部材は、操作部材の操作をロック／ロック解除する部材からなることを特徴とする請求項１記載の魚釣用電動リール。
【請求項３】
起動部材は、操作部材に挿着され、当該操作部材内に装着されたバネ部材のバネ力で操作部材の外方にバネ付勢されて、その挿入先端部が操作部材の取付基部側に設けた係合部に係合するステー形状の押圧スイッチからなり、
操作部材は、バネ部材のバネ力に抗した押圧スイッチの押圧操作による係合部との係合解除で、モータ駆動とモータ出力調節が実行可能となることを特徴とする請求項２記載の魚釣用電動リール。
【請求項４】
起動部材は、操作部材と同時操作する部材からなることを特徴とする請求項１記載の魚釣用電動リール。
【請求項５】
起動部材は、操作部材またはリール本体側に装着された押しボタン式スイッチからなり、
操作部材は、当該操作部材の操作によるモータ出力調節手段の信号と押しボタン式スイッチの操作信号とで、モータ駆動とモータ出力調節が実行可能となることを特徴とする請求項４記載の魚釣用電動リール。
【発明の詳細な説明】
【０００１】
【発明の属する技術分野】
本発明は、リール本体に装着した操作部材の操作で、スプールモータのモータ出力を調節可能とした魚釣用電動リールに関する。
【０００２】
【従来の技術】
船釣り等、一般に深場の魚層を対象とした魚釣りを行う場合、魚釣用電動リール（以下、「電動リール」という）が広く使用されている。
従来周知のように電動リールは、リール本体に装着したスプールモータの駆動でスプールを回転させて釣糸の巻取りを行うもので、釣果の向上を図るため、昨今ではリール本体に装着した操作部材の操作でモータ出力を調節したり、これに押しボタン式のモータＯＮ／ＯＦＦスイッチを併用したもの等が、特許第２９７７９７８号公報や特開２０００−１２５７２５号公報に開示されている。
【０００３】
特許第２９７７９７８号公報に開示された電動リールは、図８に示すようにハンドル１が取り付くリール本体３の一方の側板５に、レバー形状の操作部材（パワーレバー）７をリール本体３の前後方向へ回動可能に装着すると共に、当該操作部材７の操作に応じモータ出力を増減調節するポテンショメータ（モータ出力調節手段）をリール本体３内に装着し、上記操作部材７の操作でスプールモータ９のモータ出力を巻取り停止状態から最大値（０〜ＭＡＸ）まで連続的に調節可能としたものである。
【０００４】
而して、この電動リール１１によれば、操作部材７の操作でモータ停止とモータ出力の増減調節の複合的な操作が容易且つ迅速に行えるため、従来に比し釣場の状況に応じた円滑な魚釣り操作が可能となる。
また、図９に示す特開２０００−１２５７２５号公報の電動リール１３は、スプールモータ１５のモータ出力を停止状態から最大値まで増減調整可能なレバー形状の操作部材（速度調整レバー）１７を、ハンドル１９が取り付くリール本体２１の一方の側板２３に回動可能に装着し、当該操作部材１７の操作でモータ出力を増減調節するポテンショメータ（モータ出力調節手段）をリール本体２１内に装着すると共に、リール本体２１の操作パネル２５上にスプールモータ１５のＯＮ／ＯＦＦスイッチ２７を設けたもので、当該ＯＮ／ＯＦＦスイッチ２７は、操作部材１７がＯＦＦ位置（停止状態）にあるとき、そのＯＮ操作で寸動巻上げができるようになっている。
【０００５】
而して、この電動リール１３によっても、操作部材１７の操作でモータ出力の調節が容易に行えるため、状況に応じた良好な変速操作が可能となる。
【０００６】
【発明が解決しようとする課題】
しかし乍ら、上述した電動リール１１，１３にあっては、実際の釣場で誤って手や物が操作部材７，１７やＯＮ／ＯＦＦスイッチ２７に触れてこれらを動かしてしまうと、不意にスプールモータによる電動巻上げがスタートしてしまう。
【０００７】
このため、急激に釣糸に張力が加わって指を切ってしまったり、左右に往復動するレベルワインド装置の釣糸案内体に指を挟んで怪我をしてしまう危険性があった。
そして、このような危険性は、大物釣りを対象とする高出力スプールモータを搭載した電動リールの場合により顕著となる。
【０００８】
また、このような不用意な誤操作（スプールモータの駆動操作）によるトラブルは、上述の如き危険性に関連したものだけでなく、例えば仕掛けの取付作業時に不意に電動巻上げがスタートしてしまって仕掛けをバラしたり、竿先まで巻き上げ過ぎて釣糸を切断してしまったり竿先を折損してしまう等の不具合も指摘されている。
【０００９】
本発明は斯かる実情に鑑み案出されたもので、上述の如き従来の不具合を解決して、操作部材の誤操作によるトラブルの防止を図った電動リールを提供することを目的とする。
【００１０】
【課題を解決するための手段】
斯かる目的を達成するため、請求項１に係る発明は、リール本体に回転可能に支持されたスプールを駆動するスプールモータと、当該スプールモータのモータ出力を調節するモータ出力調節手段と、当該モータ出力調節手段の操作部材を備えた電動リールに於て、上記操作部材またはリール本体に起動部材を装着し、当該起動部材と上記操作部材の協働操作で、スプールモータのモータ駆動とモータ出力調節を実行可能としたことを特徴とする。
【００１１】
そして、請求項２に係る発明は、請求項１記載の電動リールに於て、起動部材は、操作部材の操作をロック／ロック解除する部材からなることを特徴とし、請求項３に係る発明は、請求項２記載の電動リールに於て、起動部材は、操作部材に挿着され、当該操作部材内に装着されたバネ部材のバネ力で操作部材の外方にバネ付勢されて、その挿入先端部が操作部材の取付基部側に設けた係合部に係合するステー形状の押圧スイッチからなり、操作部材は、バネ部材のバネ力に抗した押圧スイッチの押圧操作による係合部との係合解除で、モータ駆動とモータ出力調節が実行可能となることを特徴とする。
【００１２】
また、請求項４に係る発明は、請求項１記載の電動リールに於て、起動部材は、操作部材と同時操作する部材からなることを特徴とし、請求項５に係る発明は、請求項４記載の電動リールに於て、起動部材は、操作部材またはリール本体側に装着された押しボタン式スイッチからなり、操作部材は、当該操作部材の操作によるモータ出力調節手段の信号と押しボタン式スイッチの操作信号とで、モータ駆動とモータ出力調節が実行可能となることを特徴としている。
【００１３】
（作用）
請求項１に係る発明によれば、実釣時に誤って操作部材に手や物が触れても、起動部材を操作しない限り、スプールモータが駆動して電動巻上げがスタートすることがなく、同様に請求項２に係る発明では、起動部材の操作で操作部材の操作をロック解除しなければ、また、請求項３に係る発明にあっては、押圧スイッチの押圧操作で操作部材とその取付基部側の係合部との係合状態を解除しなければ、スプールモータが駆動して電動巻上げがスタートすることがないため、釣人は安心して高出力スプールモータの電動リールを使用することができる。
【００１４】
そして、請求項４及び請求項５に係る発明にあっても、起動部材を操作部材と同時操作しなければ、モータ駆動とモータ出力調節が実行可能とならず、釣人は安心して高出力スプールモータの電動リールを使用することができることとなる。
【００１５】
【発明の実施の形態】
以下、本発明の実施形態を図面に基づき詳細に説明する。
【００１６】
図１乃至図４は請求項１乃至請求項３に係る電動リールの一実施形態を示し、図１に於て、３１はリール本体３３のフレーム、３５，３７は当該フレーム３１の左右に取り付く側板で、両側板３５，３７間にスプール軸３９を介してスプール４１が回転可能に支持されており、スプール軸３９はスプール４１の軸心を貫通し、軸受４３，４５を介して側板３５，３７間に支持されている。
【００１７】
スプール４１は、スプールモータ４７の駆動やハンドル４９の巻取り操作で回転して釣糸が巻回されるようになっており、スプールモータ４７は、スプール４１前方のフレーム３１に一体成形されたモータケース５１内に収納されている。
そして、側板３５内には、スプールモータ４７のモータ軸４７ａの一端側に装着した遊星歯車とこれに噛合する太陽歯車や内歯歯車からなる遊星減速機構５３と、複数枚の歯車５５ａ，５５ｂ，５５ｃからなる動力伝達機構５５が装着され、スプールモータ４７の駆動力が、当該減速機構５３と動力伝達機構５５を介してスプール軸３９に伝達されるようになっている。
【００１８】
而して、スプール軸３９は、スプール４１の中央を貫通してその他端側が側板３７内に突出しているが、その突出端にハンドル操作の回転力をスプール４１に伝達させる従来周知の動力伝達機構５７や、スプール４１を釣糸巻取り状態（クラッチＯＮ）と釣糸繰出し状態（クラッチＯＦＦ）とに切り換えるクラッチ機構５９等が装着されている。
【００１９】
そして、図１及び図２に示すように側板３７の側部後方には、クラッチ機構５９のクラッチレバー６１が装着されており、当該クラッチレバー６１の操作でクラッチ機構５９がクラッチＯＮ／ＯＦＦ状態に切り換わって、スプールモータ４７やハンドル４９の駆動力がスプール４１に伝達／遮断されるようになっている。
また、既述した歯車５５ｂにはマグネット６３が装着されると共に、当該マグネット６３の回転軌跡に対向して複数のリードスイッチ６５がフレーム３１に装着されており、リードスイッチ６５は、リール本体３３上部の側板３５，３７間に装着した制御ボックス６７内のマイクロコンピュータに接続されている。
【００２０】
而して、マイクロコンピュータのＲＯＭには、特開平５−１０３５６７号公報で開示された電動リールと同様な糸長計測プログラムが組み込まれており、マイクロコンピュータのＣＰＵは、リードスイッチ６５から出力されるスプール４１の正転，逆転の判定信号を取り込んで釣糸の繰出しか巻取りかを判定すると共に、リードスイッチ６５から取り込むスプール４１の回転パルス信号をアップ・ダウンカウンタでカウントして、この計数値を基にＲＯＭに記憶された糸長計算式を演算実行するようになっている。そして、ＣＰＵは、その演算結果を、釣糸の糸長（繰出し量）として制御ボックス６７上の操作パネル６９に装着した表示器７１に表示させるようになっている。
【００２１】
そして、ハンドル４９が取り付く側板３７の側部前方には、特許第２９７７９７８号公報で開示された電動リールと同様、スプールモータ４７のモータ出力を巻取り停止のＯＦＦ状態から最大値（０〜ＭＡＸ）まで連続的に調節するレバー形状の操作部材（以下、「パワーレバー」という）７３が、リール本体３３の前後方向へ所定の角度に亘って回動可能に装着されているが、既述したように斯かるパワーレバーを装着した従来の電動リールにあっては、実際の釣場で誤って手や物がパワーレバーに触れてしまうと、不意にスプールモータによる電動巻上げがスタートしてしまう欠点があった。
【００２２】
そこで、斯かる不具合を解決するため本実施形態は、起動部材としての押圧スイッチをパワーレバーに設け、当該押圧スイッチとパワーレバーとの協働操作で、スプールモータのモータ駆動とモータ出力調節を実行可能としたものである。
即ち、図３に示すようにパワーレバー７３は、側板３７に一体成形された筒状部（パワーレバーの取付基部）７５に取り付き、当該筒状部７５に内蔵されたポテンショメータ（モータ出力調節手段）７７に操作軸７９を介して連結されている。
【００２３】
そして、パワーレバー７３には、筒状部７５の内周方向へ折曲する係合片８１が挿入先端部に形成された断面Ｌ字状のステーからなる押圧スイッチ８３が、パワーレバー７３の上下方向（図３中、矢印Ａ，Ｂ方向）へ移動可能に挿着されている。
また、押圧スイッチ８３には、パワーレバー７３に設けた凹状の案内溝８５に係合するスプリング支持片８７が突設され、そして、当該案内溝８５には、スプリング支持片８７を介して押圧スイッチ８３を矢印Ａ方向へ付勢する１本のコイルスプリング８９が介装されており、図３に示すように当該コイルスプリング８９のバネ力で、押圧スイッチ８３の上部がパワーレバー７３の先端から外方へ常時突出するようになっている。
【００２４】
一方、図４に示すように筒状部７５の先端側の上部内周には、コイルスプリング８９のバネ力で上記係合片８１が当接する円弧状のスライド部９１と、モータ出力の停止状態で当該係合片８１が係合する凹状の係合部９３が、パワーレバー７３の回動範囲に亘って連設されている。
そして、モータ出力の最大値でパワーレバー７３を位置決めするストッパ片９５がスライド部９１の一端部に突設され、更に上記係合部９３に並列してストッパ片９７が突設されており、上記係合部９３に係合した係合片８１が当該ストッパ片９７に当接して、リール本体３３後方（図中、矢印Ｃ方向）へのパワーレバー７３の変位が規制されている。
【００２５】
その他、図１中、９９は操作パネル６９上に装着されたリセットスイッチを示し、当該リセットスイッチ９９の操作で表示器７１の糸長表示値が「０（ｍ）」にリセットされる。
本実施形態に係る電動リール１０１はこのように構成されているから、スプールモータ４７が停止状態にあるとき、図４の実線で示す位置にパワーレバー７３が配置されているが、このとき、コイルスプリング８９のバネ力で押圧スイッチ８３がパワーレバー７３の先端から外方へバネ付勢されて、係合片８１が係合部９３に係合している。
【００２６】
このため、斯かる状態で、押圧スイッチ８３を操作せずにパワーレバー７３をモータ出力増加方向（図中、矢印Ｄ方向）へ操作しようとしても、係合片８１が係合部９３に係合しているためパワーレバー７３を動かすことができず、また、誤って手や物が触れてもパワーレバー７３は動かない。
そして、コイルスプリング８９のバネ力に抗して押圧スイッチ８３を矢印Ｂ方向へ押圧操作して、係合部９３と係合片８１との係合状態（ロック状態）を解除すると、矢印Ｄ方向へのパワーレバー７３の操作が可能となって、モータ駆動とモータ出力調節が実行可能となる。
【００２７】
この結果、以後、マイクロコンピュータのＣＰＵは、パワーレバー７３の操作量に応じたパルス信号のデューティ比としてスプールモータ４７への電流通電時間率を可変制御して、パワーレバー７３の操作に従いモータ駆動回路に指令を送出してスプールモータ１７をモータ停止状態から最大値まで連続的に制御し、当該パワーレバー７３やハンドル４９の操作で釣糸がスプール４１に巻回される。
【００２８】
このように本実施形態は、パワーレバー７３と押圧スイッチ８３の協働操作によってモータ駆動とモータ出力調節を実行可能とした、所謂ダブル操作形態のセキュリティ構造を採用したので、既述したように実釣時に誤ってパワーレバー７３に手や物が触れても、押圧スイッチ８３の操作で係合部９３と係合片８１との係合状態を解除しない限り、スプールモータ４７が駆動して電動巻上げがスタートすることがないため、釣人は安心して高出力スプールモータの電動リールを使用することができるし、仕掛けの取付作業等の場面に於ける不具合の発生も防止することが可能となった。
【００２９】
図５及び図６は請求項１，請求項４及び請求項５の第一実施形態に係る電動リールの要部側面図を示し、本実施形態は、既述した押圧スイッチ８３の係合片８１と係合部９３との係合／係合解除構造に代え、図５に示すようにパワーレバー７３の先端に押しボタン式の起動スイッチ（起動部材）１０３を装着し、そして、図６に示すようにマイクロコンピュータ１０５のＣＰＵには、パワーレバー７３の操作によるポテンショメータ７７の信号に加えて上記起動スイッチ１０３の操作信号が入力されるようになっている。
【００３０】
そして、ＣＰＵは、起動スイッチ１０３の操作信号とポテンショメータ７７からの信号を同時に入力したとき、モータ駆動回路１０７を介してスプールモータ４７の駆動を開始し、以後、パワーレバー７３の操作で、スプールモータ４７のモータ出力調節ができるように構成されている。
尚、その他の構成は上記第一実施形態と同様であるので、同一のものには同一符号を付してそれらの説明は省略する。
【００３１】
本実施形態はこのように構成されているから、スプールモータ４７が停止状態にあるとき、図５の実線で示す位置にパワーレバー７３が配置されているが、斯かる状態で、起動スイッチ１０３を操作することなくパワーレバー７３をモータ出力増加方向（図中、矢印Ｄ方向）へ操作しても、マイクロコンピュータ１０５のＣＰＵにはポテンショメータ７７からの信号しか入力しないため、スプールモータ４７を駆動させない。
【００３２】
このため、誤ってパワーレバー７３に手や物が触れてこれを動かしても、起動スイッチ１０３を操作しない限りスプールモータ４７は駆動しない。
そして、起動スイッチ１０３を操作し乍ら、パワーレバー７３を矢印Ｄ方向に操作すると、起動スイッチ１０３の操作信号とポテンショメータ７７の信号が同時にＣＰＵに入力されて、モータ駆動とモータ出力調節が実行可能となる。
【００３３】
以後、ＣＰＵは、パワーレバー７３の操作量に応じたパルス信号のデューティ比としてスプールモータ４７への電流通電時間率を可変制御して、パワーレバー７３の操作に従いモータ駆動回路１０７に指令を送出してスプールモータ１７をモータ停止状態から最大値まで連続的に制御し、当該パワーレバー７３やハンドル４９の操作で釣糸がスプール４１に巻回されることとなる。
【００３４】
このように本実施形態も、パワーレバー７３と起動スイッチ１０３の協働操作によってモータ駆動とモータ出力調節を実行可能としたので、誤操作でパワーレバー７３を動かしてしまっても、起動スイッチ１０３を同時に操作しない限り、スプールモータ４７が駆動して電動巻上げがスタートすることがない。
従って、本実施形態によっても、釣人は安心して高出力スプールモータの電動リールを使用することができるし、仕掛けの取付作業等の場面に於ける不具合の発生も防止することが可能となった。
【００３５】
尚、起動スイッチ１０３の取付位置は図５の実施形態に限定されるものではなく、例えば請求項１，請求項４及び請求項５の第二実施形態を示す図７のように、起動スイッチ１０３をパワーレバー７３の一側面１０９側に設けてもよく、斯かる実施形態によっても、図５の実施形態と同様、所期の目的を達成することが可能である。
【００３６】
また、パワーレバー７３に代えて、起動スイッチ１０３を操作パネル６９等のリール本体３３側に装着してもよく、パワーレバー７３との同時操作に支障を来さない場所であれば、起動スイッチ１０３の取付位置は既述した各実施形態に限定されるものではない。
【００３７】
【発明の効果】
以上述べたように、請求項１に係る発明によれば、操作部材と起動部材の協働操作によってモータ駆動とモータ出力調節を実行可能としたダブル操作形態のセキュリティ構造を採用したので、実釣時に誤って操作部材に手や物が触れても、起動部材を操作しない限りスプールモータが駆動して電動巻上げがスタートすることがないため、釣人は安心して高出力スプールモータの電動リールを使用することができるし、仕掛けの取付作業等の場面に於ける不具合の発生も防止することが可能となった。
【００３８】
そして、請求項２に係る発明によれば、起動部材の操作で操作部材の操作をロック解除しなければ、また、請求項３に係る発明にあっては、押圧スイッチの押圧操作で操作部材とその取付基部側の係合部との係合状態を解除しなければ、スプールモータが駆動して電動巻上げがスタートすることがないため、釣人は安心して高出力スプールモータの電動リールを使用することができるし、仕掛けの取付作業等の場面に於ける不具合の発生も防止することが可能である。
【００３９】
また、請求項４及び請求項５に係る発明にあっても、起動部材を操作部材と同時操作しなければモータ駆動とモータ出力調節が実行可能とならないため、釣人は安心して高出力スプールモータの電動リールを使用することができるし、仕掛けの取付作業等の場面に於ける不具合の発生も防止することが可能となる。
【図面の簡単な説明】
【図１】請求項１乃至請求項３の一実施形態に係る電動リールの平面図である。
【図２】図１に示す電動リールの側面図である。
【図３】図１に示す電動リールの要部切欠き正面図である。
【図４】図１に示す電動リールの要部切欠き側面図である。
【図５】請求項１，請求項４及び請求項５の第一実施形態に係る電動リールの要部側面図である。
【図６】図５に示す電動リールの制御ブロック図である。
【図７】請求項１，請求項４及び請求項５の第二実施形態に係る電動リールの要部側面図である。
【図８】従来の電動リールの平面図である。
【図９】従来の他の電動リールの平面図である。
【符号の説明】
３３　リール本体
３９　スプール軸
４１　スプール
４７　スプールモータ
７３　パワーレバー
７５　筒状部
７７　ポテンショメータ
８１　係合片
８３　押圧スイッチ
８９　コイルスプリング
９３　係合部
１０１　電動リール
１０３　起動スイッチ
１０５　マイクロコンピュータ
【図１】
2004024061.tif 000003
【図２】
2004024061.tif 000004
【図３】
2004024061.tif 000005
【図４】
2004024061.tif 000006
【図５】
2004024061.tif 000007
【図６】
2004024061.tif 000008
【図７】
2004024061.tif 000009
【図８】
2004024061.tif 000010
【図９】
2004024061.tif 000011